(57)【要約】【課題】  青少年と違い、シニア初心者が６通りある、６調子の二胡の音階指位置を体得するのには可なりの年月が必要であり、又、二胡は通常低音域の音量が無点音域の音量の半分近くまで減少してしまい実用性に乏しかった。  近年、二胡の演奏中の弦軸の弛み止め機構を装着した、２種類の中国製二胡が市販されていたが、何れも部品の数が多く、一旦不具合が生ずると修理が容易でない。【解決手段】  音の法則に基づき二胡の棹丈を伸長させると共に、駒と千金との間隔を移動して、現在の二胡の音域２オクターブ余を３オクターブに拡幅できた効果と、創作の固2010049219.tif 000003わしい変調を全くせずに、別種類楽器との合奏が可能となった。  又、二胡の弦上面の音階を示す加色の節と、棹の内側に添付してある数字符入りステッカーとの併用で、音階指位置を半自動的に短期間で体得出来る支援具を提供出来る。  更に、通常、紫檀、黒檀、紅木、象牙等の貴重な素材を用いている二胡の弦軸を切断、り抜き等する事無く、弦軸の原型を保った儘で弦軸の弛み、空回りの起こらない、弦軸の弛み止め機構も提供出来る。【選択図】なし【特許請求の範囲】
【請求項１】
二胡の棹の２ヶ所の指定位置に所要数値の円孔を穿ち、該孔に整合し内周壁に螺刻の施してある鐔付き中空円筒を埋設し、弦軸を回動し外周壁に螺刻した金属環を、鐔付き中空金属円筒内周壁に螺合させると共に、弦軸の外周へ、螺刻と小孔があり弦軸と整合する金属環を固着し、弦軸を鐔付き中空金属円筒内周壁に螺合させ、回動する金属環下面と既に弦軸に固着してある金属環上面との摺接による摩擦力を作り出す調音具弦軸の弛み止め機構に関わる構成とした弦楽器二胡の改良方法。
【請求項２】
二胡の棹の下部先端と同一形状の同一素材の円柱上端面に、棹の下部先端が嵌入可能な孔を穿ち棹の下部先端を嵌装させる接ぎ手機構に関わる構成とした請求項１記載の弦楽器二胡の改良方法。
【請求項３】
二胡の棹の側面と共鳴胴外周上面とに整合する逆Ｒ形素材をネジで係止した棹の嵌脱の可能な係止機構に関わる構成とした請求項１記載の弦楽器二胡の改良方法。
【請求項４】
二胡の内弦と外弦の其々にチューナーを用いて、下点音、無点音、一点音、二点音の各音階指位置を一旦標示して後、内弦を青色、外弦を赤色に加色した硬化性素材で、既に仮標示してある弦の上面へ、節状に添着硬化させた演奏支援具色分け節弦機構に関わる構成をした請求項１記載の弦楽器二胡の改良方法。
【発明の詳細な説明】
【技術分野】
【０００１】  本発明は、シニア初心者が遊び心で簡単に調子のツボが体得出来、変調せずに演奏の可能な又、演奏中弦軸の弛まない摺り合せ調整を必要としない弦楽器二胡の調音具と弦の上面へ節状に添着硬化させた演奏支援具関わる。
【背景技術】
【０００２】  本来二胡は、弦の数が２本と少ないので、音域が２オクターブ少々と狭く、その為６通りある調子の中から演奏する曲目に合わせて変調を行い音域の狭さをカバーしている。
又、従来の二胡の下点音域の音量が、無点音域の音量の半分近くに減少してしまい実用性に乏しい嫌いがある。【０００３】  又、近年中国製品で、二胡の演奏中弦軸の弛まない、摺り合せ調整の不要な、弦軸の弛み止め機構を装着した、構造の異なる２種類の弛み止め機構を其々装着した二胡が市販されている。【０００４】  本来二胡は駒と千金との間隔が短いために、音の法則の示す間隔を得ることが出来ない。【０００５】  又、二胡には、バイオリン、三味線にある指板が無く、ギターや琵琶にあるフラットも無く、只、２本の弦が棹から離れて張られていて、シニア初心者には指使いがあまりにも自由すぎて音階指位置が掴み難く、音階指位置が定まるまでには、可なりの年月と努力を必要としている。
【非特許文献】  仮称、中空Ｗボルト  ２ッに分割した中空ボルトでナットの内周を回動させると、双方のボルトの下面と上面で摺接が起こり同時に摺接部分の他、ボルトとナットの総べてのネジ山に摩擦力が発生して、摺接面の分離が困難となる作用効果を云う。
通常、二重ナットの用い方は、ボルトを固定してナットを回転して使用するが、仮称、中空二重ボルト機構は、ナットを固定して中空ボルトを２分割し、其々の役割りを反転した作用効果を転用した構成である。
【発明の開示】
【発明が解決しようとする課題】
【０００６】  以上に述べた本来の二胡は、青少年と違い、シニア初心者が６調子、６通りの音階指指位置を体得するには、４〜５年以上を必要としていて、シニア初心者の体得は中々困難な為に練習意欲を失い頓挫する例が見受けられている。又、二胡は、音域が狭いと共に、下点音域の音量が無点音域の音量の半分近くに減じてしまい、充分な音量が得られていない。【０００７】  二胡に装着してある、市販の中国製弦軸の弛み止め機構は、何れも弦軸を２分割して、片方の軸の中心を刳り抜き、部品を嵌合、又は噛合等しているので部品の数が多い上に組立が複雑な為に、一旦不具合が生じると修理が面倒である。【０００８】  二胡の、低音域の音律を安定させるには、音の法則の示す駒と千金との間隔を保たなければならないが棹丈が短い為に、駒と千金との位置を移動するだけでは間隔を延長させられない。【０００９】  又、シニア初心者が基本調のＤ調１５弦以外の調子を演奏した場合、変調すれば当然音階指位置、把位も同時に変わると頭では解っていても、何時の間にか、最初に覚えたＤ調１５弦の音階指使いとなってしまい、音程に狂いが生じて演奏が続けられなくなってしまい、度重なると練習意欲を失い兼ねない結果になる。【００１０】  本発明は、このような従来の構成が有していた問題を解決しようとするもので、シニア初心者でも簡単に調子のツボが体得出来、変調せずに演奏の可能な、又演奏中弦軸の弛まない、摺り合せ調整作業の無用化を実現することを目的とするものである。
【問題を解決するための手段】
【００１１】  本発明は上記目的を達成するため請求項１の解決手段として、二胡の棹の所定位置へ内周壁に螺刻を施した、鐔付き中空金属円柱を埋設して後、弦軸を回動し外周壁に螺刻した所要形状の金属環を、鐔付き中空金属円柱内周壁に螺合させると共に、弦軸の所定位置へ外周に螺刻と小孔を有し弦軸と整合する金属環を任意方法で固着し、この弦軸を鐔付き中空金属円柱内周壁に螺合させ、回動する金属環下面と弦軸に固着した金属環上面との摺接により摩擦力を作り出す調音具弦軸の弛み止め機構の構成としたものである。
【００１２】  又、請求項２の解決手段としては、二胡の棹の下部先端と同一素材で同一形状の円柱上端面に、棹の下部先端を嵌入する孔を穿設して、棹の下部先端を嵌装させる。
【００１３】  又、請求項３の解決手段としては、共鳴胴と同一素材で棹の側面と共鳴胴外周上面とに整合する逆Ｒ形素材をネジで係止した棹の嵌脱の可能な係止機構に関わる構成としたものである。
【００１４】  又、請求項４の解決手段として、二胡の内弦と外弦の其々に、チューナーを用いて、下点音、無点音、一点音、二点音の各音階指位置を任意方法で一旦仮標示して後、内弦を青色外弦を赤色に加色した硬化性素材を、既に仮標示してある弦の上面に節状に添着硬化させた演奏支援具色分け節弦機構に関わる構成としたものである。
【００１５】  次に、上記請求項１の課題解決手段による作用は次の通りである。従来弦軸には紫檀、象牙等の貴重な天然素材が用いられており、これ等素材は密度が高い為に、一且切断すると接着剤による着接が不可能になると共に価値が大幅に失われてしまう。    そこで弦軸を切断する事無く刳り抜き加工を施さずに、演奏中に起こる弦軸の弛み、空回りの防止策として、特殊個所に用いられている二重ナット方式のナットとボルトの作用効果を転用した、弦軸の弛み、空回り等の起こるを阻止する構成としたものである。
【００１６】  その結果、従来名人芸的、高度な技術が要求されている摺り合せ調整作業を不要にしたと共に」、弛み止め機構の部品の組み立て、二胡への装着が容易に対処出来るメリットが生まれたと同時に、弦軸の原形を保った儘再利用するので、貴重な天然素材の有効利用に繋がる効果を発揮する事が出来る。
【００１７】  又、請求項２の課題解決による作用は、音の法則の示す駒と千金との間隔を確保する為に、棹の下部先端と同形同質で不足数値の接ぎ手機構の上面穿設箇所へ棹の下部先端を嵌入するだけで棹丈を伸長する事が出来る効果を発揮する。
【００１８】  又、請求項３の課題解決による作用は、音の法則の示す駒と千金との間隔を確保するには、共鳴胴内を貫通している棹を所要数値まで引抜き、棹の側面と共鳴胴外周上面とに整合する逆Ｒ型の素材をネジで係止する事で、棹丈を所要数値まで伸長する事が出来る効果を発揮する。
【００１９】  又、請求項４の課題解決による作用は、二胡の棹の上面に張ってある２本の弦の内弦を青色、外弦を赤色に加色した硬化性素材をチューナーを用いて音階に従い弦の上面へ節状に添着硬化させると共に、音階指位置に相当した数字符名を記入したステッカーを棹の側面に添着し、数字符名に相当している弦上の節を押えるだけで、シニア初心者がどんな曲でも変調せずに演奏出来、音階指位置を自動的に体得出来るステッカーと連係の演奏支援具である。
【発明の効果】
【００２０】  音の法則に基づく千金位置の弦軸方向への移動に依り、音域を３オクターブに拡幅する事が出来た結果、従来音域の狭さをカバーする為、曲目に合わせて６通りの音階指位置を使い分けしていたが、どんな曲でも煩わしい変調を行わずに演奏出来る効果を提供出来る。
【００２１】
2010049219.tif 000002
位置、把位位置を提供出来る。
【００２２】  又、弦軸を切断する事無く刳り加工を施さずに、演奏中に起こる弦軸の弛み、空回りの防止策として、公知の二重ナット方式のナットとボルトの作用効果とを反転した、仮称中空二重ボルト方式のボルトとナットの摺接に依り発生する摩擦力の作用効果で、弦軸の弛み、空回り等の起こるを阻止する作用効果を継続維持することが出来る。
【００２３】  その結果、従来名人芸的高度な技術を要求されている、弦軸の摺り合せ調整作業を不要にしたと共に、弛み止め機構の部品の組立、二胡への装着を容易に出来るメリットを提供出来、弦軸の原形を保った儘再利用するので貴重な天然素材の有効利用に繋がる効果も発揮出来る。
【００２４】  本来二胡の駒と千金との間隔が短い為に、音の法則に則り間隔を保つ事は不可能なので、不足数値の接ぎ手材を棹の下部先端に嵌入させて棹丈の伸長を図ったので新たな棹の作成を不要にする効果を提供出来る。
【００２５】  又、別策として、共鳴胴上面から挿入している棹を不足数値まで引き抜き、所要形状の、棹と同素材の係止材を用いて棹丈の伸長を図ったので上記同様新たな棹の作製を不要にした効果を提供出来る。
【００２６】  二胡の、内弦を青色、外弦を赤色に加色した硬化性素材をチューナーを用いて音階に従い、弦の上面へ節状に添着硬化させると共に、棹の側面に音階指位置に相当した数字符名記入のステッカーを貼り付けたので、シニア初心者が数字符名に相当する弦上の加色してある節を押えるだけで、音階指位置が自動的に短期の練習で体得出来る効果を提供出来る。
【００２７】  以下、本発明の調音具弾み止め機構の実施の形態を図２に基づいて説明する。
二胡の棹１の２ヶ所に空けてある径１０．５ミリの孔を径１５ミリに拡大した円孔を穿ち直し、該孔に整合し、内周壁に螺刻してある外径１５ミリ、内径１２ミリ、長さ１０ミリの四角形鐔付き中空真鍮円柱１５Ａ、１６Ａを埋設してから、弦軸５Ａ、５Ｂを回動し外周壁に螺刻のある外径１２ミリ、内径１０．５ミリ長さ１２ミリの真鍮環１７Ａを四角形鐔付き中空真鍮円柱内周壁１５Ｃ、１６Ｃに螺合させると共に、弦軸５Ａ、５Ｂの外周へ、螺刻と小孔があり弦軸と整合する外径１２ミリ、内径１０．５ミリ高さ８ミリの真鍮環１９Ａ、２０Ａを固着して、既に拡大した孔１Ａ、１Ｂに、真鍮環１９Ｃ、２０Ｃの固着している弦軸５Ａ、５Ｂを同弦軸の先端から挿入して四角形鐔付き中空真鍮円筒内周壁に螺合させる構成となっている。
【００２８】  次に、弛み止め機構の動作を説明する。
弦軸５Ａ、５Ｂの先端にある小孔２１Ａ、２１Ｂに弦６Ａ、６Ｂを通してから、弦軸を回転して内弦５Ａの開放弦の音階をチューナーを用いて、実音のＣ音に調整出来た時点で弦軸を回動する真鍮環１７Ａ、１８Ａを指先で回動して、弦軸に固着している金属環１９Ｃ、２０Ｃとの摺接により発生する摩擦力で、演奏中に起こる弦軸の弛み、空回り等を阻止する作用効果で、その儘の状態を維持する事が出来る。
【００２９】  以下、本発明の調音具棹の接ぎ手の実施の形態を図３に基づき説明する。
音の法則の示す、二胡の駒３と千金４との間隔５００ミリの確保が出来ないので、二胡の棹１の下部先端９Ａの円柱、外径１６ミリ、長さ２５ミリ四角形１０ミリ×１０ミリと同一形状、同一木材の円柱９ａ上面９ｂに、棹１の下部先端９Ａが嵌入可能な四角形１０ミリ×１０ミリ、深さ２０ミリの孔９ｂを穿ち、棹１の下部先端を嵌合させて、棹丈を２５ミリ伸長させた構成となっている。
【００３０】  次に、棹の接ぎ手の動作を説明する。
二胡の棹１の下部下端９Ａと同形同質の円柱２５ミリの棹接ぎ手９ａを棹下端９Ａと嵌合させて、棹丈を２５ミリ伸長し音の法則の示す不足数値を補ったので、低音域の音律を安定させる効果を発揮出来る。
【００３１】  又、別策の調音具係止材の実施の形態を図４に基づいて説明する。
音の法則の示す二胡の駒３と千金４との間隔５００ミリが確保出来ないので、二胡の棹１の側面１Ａと共に共鳴胴外周上面２とに整合する巾４５ミリ、高さ４０ミリ、厚さ１５ミリの逆Ｒ型木材１０に空けてある孔の二ヶ所をネジを用いて係着固定して、棹丈を伸長させたと共に、共鳴胴膜２Ｄの張り替え時、棹の嵌脱の可能な構成となっている。
【００３２】  尚、棹と共鳴胴の係止材の動作を説明する。
二胡の棹１を共鳴胴２の孔２Ｃから２５ミリ引き抜いてから、棹の側面１Ａと共鳴胴上面２と整合する逆Ｒ型木材１０に空けてある二ヶ所をネジを用いて係着して、音の法則を示す不足数値２５ミリを補ったので、低音域の音律を安定させる効果を発揮出来る。
【００３３】  次に、本発明の演奏支援具色分け節弦の実施の形態を図５に基づいて説明する。
二胡の弦６の内弦と外弦の其々に、チューナーを用いて、下点音、無点音、一点音、二点音の各音階指位置を一旦仮標示して内弦を青色、外弦を赤色に加色した硬化性素材のボンドで、既に仮標示してある弦の上面へ、加色したボンドを節状に添着硬化させた演奏支援具色分け節弦の構成となっている。
【００３４】  以下、色分け節弦の動作を説明する。
二胡の弦６の内弦と外弦に内弦を青色外弦を赤色に加色した硬化性色素のボンドで、既に仮標示してある弦の上面へ加色したボンドを節状に添着硬化させると共に、棹１の内弦、側面に音階指位置に相当する数字符を記入したステッカーを添付してあるので、数字符名に該当している弦上面の節を押えるだけで、音階指位置を自動的に短期の練習で体得出来る効果を提供出来る。
【図面の簡単な説明】
【００３５】
【図１】  本発明の低音二胡の斜めから見た外観図
【図２】  弛み止め機構の展開図
【図３】  接ぎ手材の外観図
【図４】  係止材の外観図
【図５】  色分け節弦の外観図
【符号の説明】
【００３６】  １  二胡の棹
２  共鳴胴
３  駒
４  千金
５Ａ  弦軸
５Ｂ  弦軸
６  弦
７  弛み止め機構
８  接ぎ手機構
【図１】
2010049219.tif 000004
【図２】
2010049219.tif 000005
【図３】
2010049219.tif 000006
【図４】
2010049219.tif 000007
【図５】
2010049219.tif 000008